(57)【要約】【課題】フレーム内の時分割色数を増やすことなく、またデータ転送量を増やすことなく、色割れ及びフリッカの知覚されにくくする。【解決手段】ＬＣＯＳ１０４の液晶素子を駆動する駆動パターンを３つの駆動パターンに分け、その３つの各駆動パターンで駆動するスクリーン１０９の表示画面における領域を予め設定して、各駆動パターン毎に駆動する。第１の駆動パターンは、１フレーム期間内において、光源の時分割点灯に同期して映像データＲ（ｎ）、Ｇ（ｎ）、Ｂ（ｎ）を順番に出力し、第２の駆動パターンは、１／３フレーム期間遅れた１フレーム期間内において、Ｇ（ｎ）、Ｂ（ｎ）、Ｒ（ｎ）を順番に出力し、第３の駆動パターンは、２／３フレーム期間遅れた１フレーム期間内において、光源１０１Ｇ、１０１Ｂ及び１０１Ｒの時分割点灯に同期して、Ｂ（ｎ）、Ｒ（ｎ）、Ｇ（ｎ）を順番に出力して液晶素子を駆動する。【選択図】図１
2011118067.tif 000002
【特許請求の範囲】
【請求項１】
それぞれ所定の波長の色光を射出するＮ個（Ｎは３以上の自然数）の光源を時分割的に、かつ、巡回的に点灯制御する光源手段と、
それぞれ表示する映像信号の１フレーム分の記憶容量を有する３つのバッファ(106a,106b,106c)と、
前記３つのバッファを、同じ１フレーム期間では読み出し動作を行う一つの駆動バッファ(106-3)と書き込み動作を行う第１及び第２の保持バッファ(106-1,106-2)としてそれぞれ割り当てて動作させると共に、前記駆動バッファに割り当てられたバッファは前記第２の保持バッファ、前記第１の保持バッファ及び前記駆動バッファの順に１フレーム期間毎に切り替え、かつ、巡回的に割り当て、前記第１の保持バッファに割り当てられたバッファは前記駆動バッファ、前記第２の保持バッファ及び前記第１の保持バッファの順に１フレーム期間毎に切り替え、かつ、巡回的に割り当て、前記第２の保持バッファに割り当てられたバッファは前記第１の保持バッファ、前記駆動バッファ及び前記第２の保持バッファの順に１フレーム期間毎に切り替え、かつ、巡回的に割り当てるバッファ制御手段と、
前記表示する映像信号の表示画像のライン単位、又は画素単位で第１から第ＮまでのＮ個の駆動パターンを所定の順で切り替え設定する設定手段と、
前記Ｎ個の光源から時分割的に出力されるＮ個の色光とそれぞれ同じ色の映像データを、Ｃ１、Ｃ２、・・・、ＣＮとしたとき、前記第１の駆動パターンのライン又は画素では前記映像データＣ１〜ＣＮを前記第１の保持バッファに保持し、第ｍ（ｍは２〜Ｎのいずれかの自然数）の駆動パターンのライン又は画素では前記映像データＣｍ〜ＣＮを前記第１の保持バッファに保持し、かつ、前記映像データＣ１〜Ｃm-1を前記第２の保持バッファに保持する映像データ保持制御手段(151〜153)と、
前記Ｎ個の光源からＮ個の色光が時分割的に照射されると共に、前記Ｎ個の光源の切り替え点灯に同期して、前記バッファ制御手段により割り当てられた前記駆動バッファから照射されている色光と同じ色で、かつ、駆動される表示画像のライン又は画素に応じて前記設定手段により設定された駆動パターンの映像データが供給されて変調された色光を出力する表示素子(104)と
を有することを特徴とする画像表示装置。
【請求項２】
前記Ｎは３であり、３個の前記光源は１／３フレーム期間毎に時分割的に点灯制御されて赤色光、緑色光及び青色光をそれぞれ時分割的に、かつ、巡回的に出力し、前記設定手段は、表示する映像信号の表示画像のライン単位、又は画素単位で第１、第２及び第３の駆動パターンを所定の順で切り替え設定し、
前記映像データ保持制御手段(153)は、前記３個の光源から第１の原色光、第２の原色光、第３の原色光の順で、かつ、巡回的に原色光が出力されるとき、表示する映像信号のうち前記第１の原色光と同じ色の映像データをＣ１、前記第２の原色光と同じ色の映像データをＣ２、前記第３の原色光と同じ色の映像データをＣ３としたとき、前記第１の駆動パターンのライン又は画素では前記映像データＣ１、Ｃ２及びＣ３を前記第１の保持バッファに保持し、前記第２の駆動パターンのライン又は画素では前記映像データＣ２及びＣ３を前記第１の保持バッファに保持し、かつ、前記映像データＣ１を前記第２の保持バッファに保持し、前記第３の駆動パターンのライン又は画素では前記映像データＣ３を前記第１の保持バッファに保持し、かつ、前記映像データＣ１及びＣ２を前記第２の保持バッファに保持することを特徴とする請求項１記載の画像表示装置。
【発明の詳細な説明】
【技術分野】
【０００１】
本発明は画像表示装置に係り、特に複数の光源を時分割に点灯し色を合成するフィールドシーケンシャルカラー方式の画像表示装置に関する。
【背景技術】
【０００２】
従来のフィールドシーケンシャルカラー方式の画像表示装置は、光源からそれぞれ赤色光、緑色光及び青色光を順番に、かつ、巡回的に射出させ、それらの光を例えば反射型液晶パネル（ＬＣＯＳ: Liquid Crystal on Silicon）に照射する。ＬＣＯＳは複数個の画素のそれぞれが、反射型の画素電極で構成されている液晶パネルである。ＬＣＯＳは、液晶層が透明電極と反射電極とに挟まれた構造である。透明電極と反射電極との間に電圧を印加することにより、液晶層の液晶の配列状態が変化する。これと同時にＬＣＯＳに照射された光は、液晶層を通って反射電極で反射され、更に液晶層を通ることにより、透明電極と反射電極間の電圧に応じて変調され反射される。ＬＣＯＳから出力される変調された光線は、投射レンズで拡大され、スクリーンに投影される。
【０００３】
図１１は、従来の画像表示装置におけるフィールドシーケンシャルカラー方式の駆動方法の一例を示す。表示する映像信号の１フレーム期間を３分割し、各分割期間毎に図１１（Ａ）、（Ｂ）、（Ｃ）にハイレベルで模式的に示すように赤色用、緑色用、青色用の３つの光源を順次切り替え点灯する。この３つの光源の切り替え点灯に同期して、図１１（Ｄ）に模式的に示すように、映像信号の赤色信号Ｒ、緑色信号Ｇ及び青色信号Ｂのうち、ＬＣＯＳに照射される原色光と同じ原色の信号がそれぞれＬＣＯＳを駆動するように、ＬＣＯＳに切り替え入力される。
【０００４】
これにより、スクリーンに投影された映像は、人間には目の残像効果により映像信号の赤色信号、緑色信号及び青色信号それぞれが混ざった状態で認知されることにより、カラー映像を表示できる。このような、フィールドシーケンシャル方式の画像表示装置では、低コストで小型な構成により、高精細な映像を表示することが可能である。
【０００５】
また、上記の例は投射型の画像表示装置の例であるが、フィールドシーケンシャルカラー方式には、バックライトから３原色光を時分割的に画素を構成する液晶素子に照射する構成の直視型の画像表示装置もある。この直視型の画像表示装置は、カラーフィルタが必要なく、低コストで高精細な映像の表示を実現できる。
【０００６】
しかしながら、投射型及び直視型のいずれも、フィールドシーケンシャルカラー方式の画像表示装置の場合、低コストで高精細な映像を実現できるという特長がある反面、動画や視点を動かしたときに、色割れとかカラーブレイク等と呼ばれる現象が発生し、赤（Ｒ）、緑（Ｇ）、青（Ｂ）に分割された色が表示物体の輪郭で知覚されやすいという欠点がある。この色割れとかカラーブレイク等と呼ばれる現象は、図１２に示すように、例えば表示画面上で白色の直線１１が動いた場面において、赤色光、緑色光及び青色光を時分割でＬＣＯＳに照射しても、視点移動前の各原色の直線は静止しているので、赤色、緑色及び青色の各直線が重なって１本の白色の直線１１として見えていたものが、直線１１が移動することにより人間の網膜上で各原色の直線が重ならず、赤色の直線１２Ｒ、緑色の直線１２Ｇ及び青色の直線１２Ｂに分かれて見えてしまうというような現象である。
【０００７】
この欠点を解決するため、Ｒ、Ｇ、Ｂの３つの光源の点灯順番をフレーム毎に変える画像表示装置が提案されている（例えば、特許文献１参照）。この従来の画像表示装置によれば、空間的に先頭に現れる色が順次入れ替わるため、観察者には色割れが知覚されにくくなるというものである。
【先行技術文献】
【特許文献】
【０００８】
【特許文献１】特開２００２−２２３４５３号公報
【発明の概要】
【発明が解決しようとする課題】
【０００９】
しかしながら、上記の特許文献１記載の従来の画像表示装置は、フレーム内の同じ原色の画像表示期間がフレーム毎に変化するため、特に単色の画像を表示する場合、フリッカが生じるという欠点がある。
【００１０】
また、上記の方法以外にも、上記の色割れとかカラーブレイク等と呼ばれる現象を低減又は除去するための方法が種々提案されているが、いずれも欠点がある。例えば、１フレーム内のＲ、Ｇ、Ｂの色の数を増やすことで色割れを低減する方法は、データ量が大きくなるためコストが高くなってしまうという欠点があり、特に、液晶を用いた画像表示装置の場合、液晶の応答速度の遅さから混色を起こし易い。混色を避けるためには、光源の点灯と点灯の間に非駆動期間を多めに設定する必要があり、その場合には変調率が低下し、輝度が出にくいという欠点がある。
【００１１】
また、Ｒ、Ｇ、Ｂの他に黄（Ｙ）、シアン（Ｃ）、マゼンタ（Ｍ）のようなＲ、Ｇ、Ｂの補色や、白を挿入する方法も提案されているが、色調バランスの面で問題が大きい。
【００１２】
本発明は以上の点に鑑みなされたもので、フレーム内の時分割色数を増やすことなく、またデータ転送量を増やすことなく、色割れ及びフリッカの知覚されにくいフィールドシーケンシャルカラー方式の画像表示装置を提供することを目的とする。
【課題を解決するための手段】
【００１３】
上記目的を解決するため、第１の発明の画像表示装置は、それぞれ所定の波長の色光を射出するＮ個（Ｎは３以上の自然数）の光源を時分割的に、かつ、巡回的に点灯制御する光源手段と、それぞれ表示する映像信号の１フレーム分の記憶容量を有する３つのバッファと、３つのバッファを、同じ１フレーム期間では読み出し動作を行う一つの駆動バッファと書き込み動作を行う第１及び第２の保持バッファとしてそれぞれ割り当てて動作させると共に、駆動バッファに割り当てられたバッファは第２の保持バッファ、第１の保持バッファ及び駆動バッファの順に１フレーム期間毎に切り替え、かつ、巡回的に割り当て、第１の保持バッファに割り当てられたバッファは駆動バッファ、第２の保持バッファ及び第１の保持バッファの順に１フレーム期間毎に切り替え、かつ、巡回的に割り当て、第２の保持バッファに割り当てられたバッファは第１の保持バッファ、駆動バッファ及び第２の保持バッファの順に１フレーム期間毎に切り替え、かつ、巡回的に割り当てるバッファ制御手段と、表示する映像信号の表示画像のライン単位、又は画素単位で第１から第ＮまでのＮ個の駆動パターンを所定の順で切り替え設定する設定手段と、Ｎ個の光源から時分割的に出力されるＮ個の色光とそれぞれ同じ色の映像データを、Ｃ１、Ｃ２、・・・、ＣＮとしたとき、第１の駆動パターンのライン又は画素では映像データＣ１〜ＣＮを第１の保持バッファに保持し、第ｍ（ｍは２〜Ｎのいずれかの自然数）の駆動パターンのライン又は画素では映像データＣｍ〜ＣＮを第１の保持バッファに保持し、かつ、映像データＣ１〜Ｃm-1を第２の保持バッファに保持する映像データ保持制御手段と、Ｎ個の光源からＮ個の色光が時分割的に照射されると共に、Ｎ個の光源の切り替え点灯に同期して、バッファ制御手段により割り当てられた駆動バッファから照射されている色光と同じ色で、かつ、駆動される表示画像のライン又は画素に応じて設定手段により設定された駆動パターンの映像データが供給されて変調された色光を出力する表示素子とを有することを特徴とする。
【００１４】
また、上記の目的を達成するため、第２の発明は、第１の発明におけるＮを３とし、３個の光源は１／３フレーム期間毎に時分割的に点灯制御されて赤色光、緑色光及び青色光をそれぞれ時分割的に、かつ、巡回的に出力し、設定手段は、表示する映像信号の表示画像のライン単位、又は画素単位で第１、第２及び第３の駆動パターンを所定の順で切り替え設定し、映像データ保持制御手段は、３個の光源から第１の原色光、第２の原色光、第３の原色光の順で、かつ、巡回的に原色光が出力されるとき、表示する映像信号のうち第１の原色光と同じ色の映像データをＣ１、第２の原色光と同じ色の映像データをＣ２、第３の原色光と同じ色の映像データをＣ３としたとき、第１の駆動パターンのライン又は画素では映像データＣ１、Ｃ２及びＣ３を第１の保持バッファに保持し、第２の駆動パターンのライン又は画素では映像データＣ２及びＣ３を第１の保持バッファに保持し、かつ、映像データＣ１を第２の保持バッファに保持し、第３の駆動パターンのライン又は画素では映像データＣ３を第１の保持バッファに保持し、かつ、映像データＣ１及びＣ２を第２の保持バッファに保持することを特徴とする。
【発明の効果】
【００１５】
本発明によれば、光源の点灯順番を変えることなく、表示映像の色の順番をライン又は画素毎に変え、光源の点灯に同期して表示させることにより、フレーム内の時分割色数を増やすことなく、またデータ転送量を増やすことなく、観察者が色割れ及びフリッカを知覚し難くできる。
【図面の簡単な説明】
【００１６】
【図１】本発明の画像表示装置の一実施の形態の基本構成図である。
【図２】図１中のドライバの一例のブロック図である。
【図３】図１の画像表示装置の動作説明用タイミングチャートである。
【図４】図１の画像表示装置の３つのバッファのバッファリング動作説明図である。
【図５】図１の画像表示装置中の３つのバッファの切り替え動作説明図である。
【図６】本発明の画像表示装置におけるライン状駆動パターンを示す図である。
【図７】本発明の画像表示装置の一実施の形態の効果を説明する図である。
【図８】本発明の画像表示装置における格子状駆動パターンを示す図である。
【図９】本発明の画像表示装置における３つの色の映像データの３つのバッファに対するバッファリング動作説明図である。
【図１０】本発明の画像表示装置における４つの色の映像データの３つのバッファに対するバッファリング動作説明図である。
【図１１】従来の画像表示装置の一例の動作説明用タイミングチャートである。
【図１２】従来の画像表示装置の課題説明図である。
【発明を実施するための形態】
【００１７】
以下、本発明の実施の形態について図面を参照して説明する。
【００１８】
図１は、本発明になる画像表示装置の一実施の形態の基本構成図を示す。同図に示すように、本実施の形態の画像表示装置１００は、発光ダイオード（ＬＥＤ:Light Emitting Diode）により構成された互いに異なる所定の波長の原色光を射出する光源１０１Ｒ、１０１Ｇ及び１０１Ｂと、Ｘプリズム１０２と、ワイヤグリッド（Ｗire_Grid）等の偏光素子１０３と、反射型液晶パネル（ＬＣＯＳ）１０４と、駆動回路であるドライバ１０５と、１フレーム分の映像データをそれぞれ保持する記憶容量を持つ３つのバッファ１０６ａ、１０６ｂ及び１０６ｃと、投射レンズ１０８とより構成される。
【００１９】
光源１０１Ｒは赤色光を射出し、光源１０１Ｇは緑色光を射出し、光源１０１Ｂは青色光を射出する。また、光源１０１Ｒ、１０１Ｇ及び１０１Ｂは、図示しない制御回路により、１フレームを３分割したフィールド（１／３フレーム期間）毎に順次に、かつ、巡回的に切り替えられて駆動され、それぞれ赤色光、緑色光、青色光を射出する。これら光源１０１Ｒ、１０１Ｇ及び１０１Ｂと、図示しない制御回路とは、光源手段を構成する。
【００２０】
Ｘプリズム１０２は、その３つの側面から別々に入射する赤色光、緑色光及び青色光の各光軸を合わせて、他の１つの側面からそれぞれ射出する。ワイヤグリッド等の偏光素子１０３は、入射光のＰ偏光成分を透過し、Ｓ偏光成分を反射する。
【００２１】
ＬＣＯＳ１０４は、反射型の画素が例えば２次元マトリクス状に多数個配置された液晶パネルである。上記の画素は、液晶層が透明電極と反射電極とに挟まれた構造である。
【００２２】
図２は、ドライバ１０５の一例のブロック図を示す。ドライバ１０５は、表示する映像データの画素位置情報より色順序を示すパターンを決定する色順序パターン決定部１５１と、色順序パターン決定部１５１で色順序が決定された映像データを、赤色（Ｒ）、緑色（Ｇ）及び青色（Ｂ）の各原色の映像データに分解するＲＧＢ分解部１５２と、それら各原色の映像データを、後述する保持１バッファ１０６−１と保持２バッファ１０６−２に色順序を示す駆動パターンに従って、色毎に供給する映像データ振り分け部１５３と、後述する駆動バッファ１０６−３から読み出された映像データを読み出して出力する映像データ読み出し部１５４とより構成される。
【００２３】
保持１バッファ１０６−１、保持２バッファ１０６−２及び駆動バッファ１０６−３は、図１に示すトリプルバッファを構成するバッファ１０６ａ、１０６ｂ及び１０６ｃのそれぞれが割り当てられたものである。すなわち、バッファ１０６ａ、１０６ｂ及び１０６ｃのいずれか一つのバッファが駆動バッファ１０６−３に割り当てられ、残りの二つのバッファがそれぞれ保持１バッファ１０６−１と１０６−２に割り当てられる。また、その割り当ては、後述する図５と共に説明するように、図示しないバッファ制御手段により１フレーム期間毎に切り替えられる。
【００２４】
図１に示す３つのバッファ１０６ａ、１０６ｂ及び１０６ｃは、同じ１フレーム期間内において、その中の一つのバッファが一時保持している映像データをＬＣＯＳ１０４の液晶素子の透明電極へ供給する駆動バッファ（図２の１０６−３）として動作し、残りの二つのバッファが入力映像データを書き込んで一時保持する保持１バッファ（図２の１０６−１）及び保持２バッファ（図２の１０６−２）として動作するトリプルバッファを構成している。
【００２５】
３つのバッファ１０６ａ、１０６ｂ及び１０６ｃのうち、駆動バッファとなるバッファ及び保持１バッファと保持２バッファとなるバッファは、後述するように１フレーム毎に切り替わる。投射レンズ１０８は、偏光素子１０３で反射されたＬＣＯＳ１０４からの反射光のＳ偏光成分をスクリーン１０９に投射して、カラーの映像１１０を表示する。
【００２６】
次に、本実施の形態の画像表示装置１００の動作について、図３のタイミングチャート、図４及び図５のバッファ動作説明図、図６の駆動パターン図等と共に説明する。図１において、光源１０１Ｒ、１０１Ｇ及び１０１Ｂは、表示する映像データの１フレーム期間を３分割して得た１／３フレーム期間毎に順次に点灯し、かつ、巡回的に点灯するように駆動制御される。図３（Ａ）のハイレベル期間は光源１０１Ｒの点灯期間、同図（Ｂ）のハイレベル期間は光源１０１Ｇの点灯期間、同図（Ｃ）のハイレベル期間は光源１０１Ｂの点灯期間をそれぞれ模式的に示す。
【００２７】
光源１０１Ｒから射出された赤色光と、光源１０１Ｇから射出された緑色光と、光源１０１Ｂから射出された青色光とは、Ｘプリズム１０２に入射し、ここで光軸が揃えられた後、偏光素子１０３に入射してそのＰ偏光成分のみが透過してＬＣＯＳ１０４を照射する。
【００２８】
ＬＣＯＳ１０４の画素を構成する液晶素子の液晶は、透明電極と反射電極との間に印加される電圧（すなわち、駆動バッファとして動作するバッファ１０６ａ、１０６ｂ又は１０６ｃからの映像データ）に応じて配向状態が変化するため、偏光素子１０３を透過した原色光のＰ偏光成分が上記ＬＣＯＳ１０４の画素を構成する液晶素子の透明電極を通して液晶を通るときに駆動バッファとして動作するバッファ１０６ａ、１０６ｂ又は１０６ｃからの映像データに応じて変調されて反射電極に入射し、更にその反射電極で反射された光が再び液晶を通るときに変調されて透明電極を透過する。
【００２９】
これにより、ＬＣＯＳ１０４は、駆動バッファとして動作するバッファ１０６ａ、１０６ｂ又は１０６ｃからの映像データにより変調された反射光を射出する。ＬＣＯＳ１０４からの変調された反射光は、再度偏光素子１０３に入射し、ここでＳ偏光成分のみが反射され、投射レンズ１０８により拡大されてスクリーン１０９に投影される。この結果、スクリーン１０９は駆動バッファとして動作するバッファ１０６ａ、１０６ｂ又は１０６ｃからの映像データに応じた映像１１０を表示する。
【００３０】
ここで、従来のフィールドシーケンシャルカラー方式と同様に、ＬＣＯＳ１０４に赤色光が入射する１／３フレーム期間では、液晶素子の透明電極には赤色の映像データが入力され、ＬＣＯＳ１０４に緑色光が入射する次の１／３フレーム期間では、液晶素子の透明電極には緑色の映像データが入力され、ＬＣＯＳ１０４に青色光が入射する次の１／３フレーム期間では、液晶素子の透明電極には青色の映像データが入力される。
【００３１】
ただし、本実施の形態では、液晶素子を駆動する駆動パターンを３つの駆動パターンに分け、その３つの各駆動パターンで駆動するスクリーン１０９の表示画面における領域を予め設定して、各駆動パターン毎に駆動する点が従来と異なる。以下、説明の便宜上、上記の３つの駆動パターンのうち第１の駆動パターンを“ドライブＡ”、第２の駆動パターンを“ドライブＢ”、第３の駆動パターンを“ドライブＣ”として説明する。
【００３２】
“ドライブＡ”は、図３（Ｄ）に模式的に示すように、従来と同様に１フレーム期間内において、光源１０１Ｒ、１０１Ｇ及び１０１Ｂの１／３フレーム期間毎の時分割点灯に同期して、赤色の映像データＲ（ｎ）、緑色の映像データＧ（ｎ）、青色の映像データＢ（ｎ）を順番に出力して液晶素子を駆動するパターンである。
【００３３】
これに対し、“ドライブＢ”と“ドライブＣ”は従来とは異なる駆動パターンである。すなわち、“ドライブＢ”は、図３（Ｅ）に模式的に示すように、“ドライブＡ”とは１／３フレーム期間遅れた１フレーム期間内において、光源１０１Ｇ、１０１Ｂ及び１０１Ｒの１／３フレーム期間毎の時分割点灯に同期して、緑色の映像データＧ（ｎ）、青色の映像データＢ（ｎ）、赤色の映像データＲ（ｎ）を順番に出力して液晶素子を駆動するパターンである。
【００３４】
また、“ドライブＣ”は、図３（Ｆ）に模式的に示すように、“ドライブＡ”とは２／３フレーム期間遅れた１フレーム期間内において、光源１０１Ｂ、１０１Ｒ及び１０１Ｂの１／３フレーム期間毎の時分割点灯に同期して、青色の映像データＢ（ｎ）、赤色の映像データＲ（ｎ）、緑色の映像データＧ（ｎ）を順番に出力して液晶素子を駆動するパターンである。図３（Ｄ）〜（Ｆ）は、３つのバッファ１０６ａ〜１０６ｃのうち、駆動バッファとして動作する一つのバッファからの出力映像データを駆動パターン毎に図示したものである。
【００３５】
ここで、スクリーン１０９の表示画面は、例えば図６に示すように、ライン毎に“ドライブＡ”で駆動されるライン２０１Ａ、“ドライブＢ”で駆動されるライン２０１Ｂ、“ドライブＣ”で駆動されるライン２０１Ｃというように、設定手段（図示せず）により周期的に予め設定されている。
【００３６】
これにより、３つのバッファ１０６ａ〜１０６ｃのうち、上記の駆動バッファとして動作する一つのバッファは、ライン２０１Ａの各画素（液晶素子）には、図３（Ｄ）に示した“ドライブＡ”で定められたパターンで上記の各映像データＲ（ｎ）、Ｇ（ｎ）、Ｂ（ｎ）を出力する。同様に、上記の駆動バッファとして動作する一つのバッファは、ライン２０１Ｂの各画素（液晶素子）には、図３（Ｅ）に示した“ドライブＢ”で定められたパターンで、各映像データＧ（ｎ）、Ｂ（ｎ）、Ｒ（ｎ）を出力し、また、ライン２０１Ｃの各画素（液晶素子）には、図３（Ｆ）に示した“ドライブＣ”で定められたパターンで、各映像データＢ（ｎ）、Ｒ（ｎ）、Ｇ（ｎ）を出力する。
【００３７】
ここで、図示しないバッファ制御手段により、３つのバッファ１０６ａ、１０６ｂ及び１０６ｃのうち、一つのバッファが駆動バッファ（図２の１０６−３）に割り当てられて動作し、残りの二つのバッファが保持１バッファ（図２の１０６−１）と保持２バッファ（図２の１０６−２）とに割り当てられて動作し、それらの割り当ては１フレーム毎に切り替わる。
【００３８】
例えば、駆動バッファがバッファ１０６ｃであり、バッファ１０６ｂが保持１バッファ、バッファ１０６ａが保持２バッファであるものとして、１フレーム期間において動作したものとすると、次の１フレーム期間では、図５に模式的に示すように、バッファ１０６ａが保持１バッファ、バッファ１０６ｂが駆動バッファ、バッファ１０６ｃが保持２バッファに切り替えられる。
【００３９】
次の１フレーム期間では、図５に模式的に示すように、バッファ１０６ａが駆動バッファ、バッファ１０６ｂが保持２バッファ、バッファ１０６ｃが保持１バッファに切り替えられる。更に次の１フレーム期間では、最初の割り当てに戻り、バッファ１０６ａが保持２バッファ、バッファ１０６ｂが保持１バッファ、バッファ１０６ｃが駆動バッファとなる。以下上記と同様に、３つのバッファ１０６ａ〜１０６ｃは、その駆動バッファ、保持１バッファ、保持２バッファの割り当てが１フレーム期間毎に巡回的に切り替えられる。これにより、データ保持と駆動をスムーズに行え、常に駆動バッファからは図３（Ｄ）〜（Ｆ）に示したように、３つの駆動パターンに応じて、各原色の映像データが出力される。なお、図５において、（Ｗ）は書き込み動作を行うバッファであることを、また（Ｒ）は読出し動作を行うバッファであることを示す。
【００４０】
一つのバッファが上記の３つの駆動パターンで映像データを出力する駆動バッファとして動作するためには、その一つのバッファが駆動バッファとして割り当て動作する以前に保持１バッファ又は保持２バッファとして動作している時に映像データを所定の色順序パターンで各原色の映像データを書き込む必要がある。
【００４１】
次に、３つのバッファ１０６ａ〜１０６ｃのうち、保持バッファとして動作する二つのバッファ（保持１バッファ及び保持２バッファ）の映像データ書き込み動作について説明する。この映像データ書き込み動作は、図２に示した色順序パターン決定部１５１、ＲＧＢ色分解部１５２、映像データ振り分け部１５３からなる映像データ保持制御手段により行われる。
【００４２】
図２において、色順序パターン決定部１５１は、映像データの画素位置情報（ｘ，ｙ）から、例えば以下のような式
ｐ＝ｍｏｄ（ｘ＋ｙ，３）
を用いて色順序パターンの識別番号ｐを計算する。ここで、上記のｍｏｄ（ａ，ｂ）は、ａ／ｂの剰余を示す。ここでは、ｐ＝０のときドライブＡ、ｐ＝１のときドライブＢ、ｐ＝２のときドライブＣとする。
【００４３】
映像データ振り分け部１５３は、色順序パターン決定部１５１により計算された画素毎の識別番号ｐに従い、“ドライブＡ”の駆動を行う画素に対しては、図４（Ａ）に模式的に示すように、保持１バッファ（図２の１０６−１）には、現在駆動中の次の順番の赤色の映像データＲ（ｎ＋１）、緑色の映像データＧ（ｎ＋１）及び青色の映像データＢ（ｎ＋１）を書き込む一方、保持２バッファ（図２の１６０−２）には、このとき何も書き込まない。
【００４４】
次に、“ドライブＢ”の駆動を行う画素に対しては、映像データ振り分け部１５３は、図４（Ｂ）に模式的に示すように、保持１バッファには、現在駆動中の次の順番の緑色の映像データＧ（ｎ＋１）及び青色の映像データＢ（ｎ＋１）を書き込み、これと並行して、保持２バッファには、赤色の映像データＲ（ｎ＋１）を書き込む。
【００４５】
次に、“ドライブＣ”の駆動を行う画素に対しては、映像データ振り分け部１５３は、図４（Ｃ）に模式的に示すように、保持１バッファには、現在駆動中の次の順番の青色の映像データＢ（ｎ＋１）を書き込み、これと並行して、保持２バッファには、赤色の映像データＲ（ｎ＋１）及び緑色の映像データＧ（ｎ＋１）を書き込む。
【００４６】
このようにして映像データが書き込まれた保持１バッファ（図２の１０６−１）又は保持２バッファ（図２の１０６−２）は、駆動バッファ（図２の１０６−３）の順番になった１フレーム期間において、記憶している各原色の映像データを映像データ読み出し部１５４により読み出されて図１のＬＣＯＳ１０４の画素の画素電極へ出力する。このとき、駆動バッファから読み出される各原色の映像データは、表示画像に予め割り当てられた駆動パターンに応じた順番の映像データになっている。
【００４７】
次に、本実施の形態の効果について図７と共に説明する。図７に示すように、表示画面上で例えば白い縦方向に長い直線（縦線）を表示する場合、その直線が静止しているときには、赤色光、緑色光及び青色光を時分割でＬＣＯＳ１０４に照射し、かつ、３つの駆動パターンで駆動しても、赤色、緑色及び青色の各直線が重なって１本の白い直線２１として見える。
【００４８】
これに対し、白い直線２１が移動した場合、人間の網膜上で各原色の直線が重ならず、３本の縦線２２ａ、２２ｂ、２２ｃが見える。しかし、これら３本の縦線２２ａ〜２２ｃの縦方向に隣接する３つの画素の映像データは、図６と共に説明したように、“ドライブＡ”〜“ドライブＣ”の互いに異なる３つの駆動パターンにより駆動された互いに異なる原色映像データであり、また、横方向に隣接する画素の映像データも時分割的に入力される互いに異なる原色映像データであるため（すなわち、同じ原色光の点灯期間で表示される画素の位置が上下左右で異なるため）、人間の網膜にはそれらが混合されることで人間には白っぽく見えるため、前述した色割れの現象を大幅に低減することができる。
【００４９】
また、本実施の形態によれば、３つの光源１０１Ｒ、１０１Ｇ及び１０１Ｂの点灯順番は各フレームで同じであるため、３つの光源の点灯順番をフレーム毎に変える従来の画像表示装置で発生するフリッカは生じない。更に、本実施の形態によれば、表示映像のＲ、Ｇ、Ｂの順番を画素毎に変え、光源の点灯に同期して表示させることにより、フレーム内の時分割色数を増やすことなく、またデータ転送量を増やすことなく、色割れやフリッカを低減又は除去することができる。
【００５０】
なお、本発明は以上の実施の形態に限定されるものではなく、例えば、３つの駆動パターンで駆動される画素は、図８に示すようにスクリーン１０９の表示画面において、格子状に画素単位で“ドライブＡ”で駆動される画素２０２Ａ、“ドライブＢ”で駆動される画素２０２Ｂ、“ドライブＣ”で駆動される画素２０２Ｃというように予め設定するようにしてもよい。
【００５１】
また、図１に示した実施の形態では、光源の点灯順序が光源１０１Ｒ、光源１０１Ｇ及び光源１０１Ｂの順（すなわち、ＲＧＢの順）として説明したが、点灯順序は一定であればどのような順番でもよい。３原色光の点灯順序がどのような順番であっても、本発明は、３原色光の点灯順序に対応した各原色光の映像データをＣ１，Ｃ２，Ｃ３としたとき、ドライブＡでは、図９（Ａ）に模式的に示すようにＣ１，Ｃ２，Ｃ３を保持１バッファに保持する。また、ドライブＢでは図９（Ｂ）に模式的に示すようにＣ２及びＣ３を保持１バッファに保持し、かつ、Ｃ１を保持２バッファに保持する。また、ドライブＣでは図９（Ｃ）に模式的に示すようにＣ３を保持１バッファに保持し、かつ、Ｃ１及びＣ２を保持２バッファに保持する。このような手順で映像データを振り分けることにより、図１に示した実施の形態と同様の効果が得られる。
【００５２】
また、色光の数は上記の３つに限定されるものではなく、４色以上でもよい。例えば、４色の場合は、色順序を示す駆動パターンは４種類（ドライブＡ／ドライブＢ／ドライブＣ／ドライブＤ）となり、色順序パターン決定部で用いられる式は、ｍｏｄ（ｘ＋ｙ，４）となる。４つの各色の映像データをＣ１，Ｃ２，Ｃ３，Ｃ４とし、その色順で点灯したとき、ドライブＡでは、図１０（Ａ）に模式的に示すようにＣ１，Ｃ２，Ｃ３，Ｃ４を保持１バッファに保持する。また、ドライブＢでは図１０（Ｂ）に模式的に示すようにＣ２，Ｃ３及びＣ４を保持１バッファに保持し、かつ、Ｃ１を保持２バッファに保持する。また、ドライブＣでは図１０（Ｃ）に模式的に示すようにＣ３及びＣ４を保持１バッファに保持し、かつ、Ｃ１及びＣ２を保持２バッファに保持する。また、ドライブＤでは図１０（Ｄ）に模式的に示すようにＣ４を保持１バッファに保持し、かつ、Ｃ１，Ｃ２及びＣ３を保持２バッファに保持するような手順で映像データを振り分ける。これにより、図１に示した実施の形態と同様の効果が得られる。
【００５３】
以上は色数が５以上であっても同様である。要は、本発明における映像データ保持制御手段は、Ｎ個（Ｎは３以上の自然数）の光源から時分割的に出力されるＮ個の色光とそれぞれ同じ色の映像データを、Ｃ１、Ｃ２、・・・、ＣＮとしたとき、第１の駆動パターンのライン又は画素では映像データＣ１〜ＣＮを前記第１の保持バッファに保持し、第ｍ（ｍは２〜Ｎのいずれかの自然数）の駆動パターンのライン又は画素では映像データＣｍ〜ＣＮを第１の保持バッファに保持し、かつ、映像データＣ１〜Ｃm-1を第２の保持バッファに保持する。
【００５４】
また、以上の実施の形態では、ＬＣＯＳ１０４を用いたフィールドシーケンシャルカラー方式の画像表示装置について説明したが、本発明はバックライトを備えた透過型液晶表示素子を用いたフィールドシーケンシャルカラー方式の画像表示装置にも適用可能である。
【符号の説明】
【００５５】
１００  フィールドシーケンシャルカラー方式の画像表示装置
１０１Ｒ、１０１Ｇ、１０１Ｂ  光源
１０２  Ｘプリズム
１０３  偏光素子
１０４  ＬＣＯＳ（反射型液晶パネル）
１０５  ドライバ
１０６ａ、１０６ｂ、１０６ｃ  バッファ
１０６−１  保持１バッファ
１０６−２  保持２バッファ
１０６−３  駆動バッファ
１０８  投射レンズ
１０９  スクリーン
１１０  映像
１５１  色順序パターン決定部
１５２  ＲＧＢ分解部
１５３  映像データ振り分け部
１５４  映像データ読み出し部
２０１Ａ  ドライブＡのライン
２０１Ｂ  ドライブＢのライン
２０１Ｃ  ドライブＣのライン
２０２Ａ  ドライブＡの画素
２０２Ｂ  ドライブＢの画素
２０２Ｃ  ドライブＣの画素
【図１】
2011118067.tif 000003
【図２】
2011118067.tif 000004
【図５】
2011118067.tif 000005
【図９】
2011118067.tif 000006
【図１０】
2011118067.tif 000007
【図１１】
2011118067.tif 000008
【図１２】
2011118067.tif 000009
【図３】
2011118067.tif 000010
【図４】
2011118067.tif 000011
【図６】
2011118067.tif 000012
【図７】
2011118067.tif 000013
【図８】
2011118067.tif 000014